(57)【要約】【課題】簡単な構成でレール装置の内倒れを防止するとともに、貯蔵室に広い実収納容積を確保することができるとともに、容器に大きな荷重がかかった場合でも滑らかな開閉動作が可能とする。【解決手段】容器２０６を前後に移動可能とするレール装置と、レール装置の固定位置を規制するレール保持部材２７０とを備え、レール装置とレール保持部材２７０とを、仕切壁１０８を介して、容器２０６の底面に対して垂直方向に軸を有するビス４００で固定することで、レール装置の内倒れを防止するとともに、貯蔵室に広い実収納容積を確保することができるとともに、容器２０６に大きな荷重がかかった場合でも滑らかな開閉動作が可能となる。【選択図】図６
2013204827.tif 000002
【特許請求の範囲】
【請求項１】
内箱と外箱と前記内箱と前記外箱との間に充填した断熱材とよりなる断熱箱体と、前記断熱箱体の内方に形成され前面が開口する貯蔵室と、前記貯蔵室の内部に備えられた容器と、前記容器を前後に移動可能とするレール装置と、前記レール装置の固定位置を規制するレール保持部材とを備え、前記レール装置と前記レール保持部材とは、前記容器の底面に対して垂直方向に軸を有する締結手段で固定されたことを特徴とする冷蔵庫。
【請求項２】
前記レール装置と前記レール保持部材とは、前記内箱の底面を介して固定されたことを特徴とする請求項１に記載の冷蔵庫。
【請求項３】
前記レール装置と前記レール保持部材とは、前記内箱を上下方向に区画する仕切壁の上面を介して固定されたことを特徴とする請求項１に記載の冷蔵庫。
【請求項４】
前記レール装置は、前記レール保持部材に固定された固定レールと、前記固定レールに支持された移動レールとを備えたことを特徴とする請求項１〜３のいずれか１項に記載の冷蔵庫。
【請求項５】
前記固定レールと前記移動レールとの間に中間レールを備え、前記中間レールと前記固定レールおよび前記移動レールとを回転支持部材で支持することを特徴とする請求項４に記載の冷蔵庫。
【発明の詳細な説明】
【技術分野】
【０００１】
本発明は、引き出し式の貯蔵室を備えた冷蔵庫に関し、特にレール装置の取付構造に関するものである。
【背景技術】
【０００２】
従来、冷蔵庫は、奥まで無駄なく貯蔵できる、使い勝手がよい等の観点から、冷蔵庫の下段に引き出し式の貯蔵室を備えることが多い。このような引き出し式の貯蔵室は、貯蔵室の内壁に固定された引き出し装置により、前後に引き出し可能に構成されている（例えば、特許文献１参照）。
【０００３】
図１４は、従来の冷蔵庫の側断面を示す図である。
【０００４】
図１４に示す従来の冷蔵庫は、断熱箱体１は、金属製の外箱１２と樹脂製の内箱１３と、外箱１２および内箱１３の間に充填された断熱材１１と、で形成されている。
【０００５】
内箱１３の内部には、図示しない冷凍室や野菜室などの貯蔵室が形成されている。内箱１３の断熱材１１側の側面には、補強部材１５が設けられている。レール９は、内箱１３を挟み込むように補強部材１５とネジ２２によって連結され、内箱１３の側面に固定されている。
【０００６】
一方、引出扉（図示せず）に固定され、容器（図示せず）を支持する支持部材６には、ローラ８が設けられている。そして、ローラ８がレール９に載せられることにより、引出扉とともに容器が断熱箱体１に対して出し入れ可能となって、引き出し式の貯蔵室が構成される。
【先行技術文献】
【特許文献】
【０００７】
【特許文献１】特開平９−０３３１６３号公報
【発明の概要】
【発明が解決しようとする課題】
【０００８】
しかしながら、支持部材６で容器の左右両端を支持する構成では、容器の内容積の増加により容器に収納される収納物が増大すると、レール９への負荷が大きくなる。
【０００９】
特に、左右のレール９には、補強部材１５とともに、内箱１３の貯蔵室側（反断熱材１１側）へ倒れ込ませる方向に力が作用する。このため、内箱１３が変形し、引出扉を前後に滑らかに移動できなくなるというおそれがある。
【００１０】
あるいは、このような変形を防止しようとすると、特許文献１に記載した従来の構成のように、補強部材１５を側面のみならず、貯蔵室の底面へと回りこませるというように、補強部材１５が大型化し、製造コストが増大するといった課題がある。
【００１１】
本願発明は、上記従来の課題を解決するもので、レール装置を固定する補強部材の小型化、低コスト化ができ、引き出し式の貯蔵室に広い実収納容積を確保することができるとともに、容器に大きな荷重がかかった場合でも滑らかに引き出しを開閉することができる高品位で使い勝手のよい引き出し式の貯蔵室を備える冷蔵庫の提供を目的とする。
【課題を解決するための手段】
【００１２】
上記従来の課題を解決するために、本願発明の冷蔵庫は、内箱と外箱と前記内箱と前記外箱との間に充填した断熱材とよりなる断熱箱体と、前記断熱箱体の内方に形成され前面が開口する貯蔵室と、前記貯蔵室の内部に備えられた容器と、前記容器を前後に移動可能とするレール装置と、前記レール装置の固定位置を規制するレール保持部材とを備え、前記レール装置と前記レール保持部材とは、前記容器の底面に対して垂直方向に軸を有する締結手段で固定されたものである。
【００１３】
これによれば、簡単な構成でレール装置の内倒れを防止するとともに、貯蔵室に広い実収納容積を確保することができる。そして、容器に大きな荷重がかかった場合でも滑らかな開閉動作が可能となる。
【発明の効果】
【００１４】
本発明の冷蔵庫は引き出し式の貯蔵室において、レール装置の変形を防止し、広い実収納空間を確保しつつ、開閉動作の操作性を向上することができる。
【図面の簡単な説明】
【００１５】
【図１】本発明の実施の形態１における冷蔵庫の正面図
【図２】本発明の実施の形態１における冷蔵庫の断面図
【図３】本発明の実施の形態１における冷蔵庫のレール装置を示す斜視図
【図４】本発明の実施の形態１における冷蔵庫の引出扉と扉フレームを示す斜視図
【図５】本発明の実施の形態１における冷蔵庫の扉フレームを示す斜視図
【図６】本発明の実施の形態１における冷蔵庫の冷凍室における仕切壁とレール装置の取付部を示す断面図
【図７】本発明の実施の形態１における冷蔵庫の冷凍室における仕切壁とレール装置の取付部の変形例を示す断面図
【図８】本発明の実施の形態１における冷蔵庫の野菜室における仕切壁とレール装置の取付部を示す断面図
【図９】本発明の実施の形態１における冷蔵庫の野菜室における内箱とレール装置の取付部の変形例を示す断面図
【図１０】本発明の実施の形態１における冷蔵庫の野菜室における内箱とレール装置の取付部の変形例を示す断面図
【図１１】本発明の実施の形態１における冷蔵庫の野菜室における内箱とレール装置の取付部の別の変形例を示す断面図
【図１２】本発明の実施の形態１における冷蔵庫のレール装置と容器とを示す断面図
【図１３】（Ａ）本発明の実施の形態１における冷蔵庫のレール装置と容器の配置を示した要部拡大図（Ｂ）同冷蔵庫のレール装置と容器の配置を示した要部拡大図（Ｃ）同冷蔵庫のレール装置と容器の配置を示した要部拡大図
【図１４】従来の冷蔵庫の断面図
【発明を実施するための形態】
【００１６】
第１の発明は、内箱と外箱と前記内箱と前記外箱との間に充填した断熱材とよりなる断熱箱体と、前記断熱箱体の内方に形成され前面が開口する貯蔵室と、前記貯蔵室の内部に備えられた容器と、前記容器を前後に移動可能とするレール装置と、前記レール装置の固定位置を規制するレール保持部材とを備え、前記レール装置と前記レール保持部材とは、前記容器の底面に対して垂直方向に軸を有する締結手段で固定されたものである。
【００１７】
これによれば、レール保持部材の少なくも一部をレール装置の下方に配置することとなり、また、締結手段が、レール装置にかかる荷重を軸方向に受けることとなるので、レール装置の内倒れを防止することができる。さらに、締結手段にせん断力がかかることがな
いので、締結手段に緩みが生じたり、レール装置とレール保持部材との間に隙間が生じたりすることがない。このため、容器に大きな荷重がかかる場合でもレール装置を確実に固定できる。また、レール保持部材や、レール装置とレール保持部材の取付部を小型化できるために、貯蔵室に広い実収納容積を確保することができる。この結果、広い実収納空間を確保しつつ、開閉動作の操作性を向上することができる。
【００１８】
第２の発明は、特に、第１の発明の前記レール装置と前記レール保持部材とは、前記内箱の底面を介して固定されたことにより、レール保持部材の少なくも一部をレール装置の下方に配置することとなり、レール装置の内倒れを防止しつつ、レール装置を内箱に確実に固定できる。また、レール保持部材や、レール装置とレール保持部材の取付部を小型化できるために、貯蔵室に広い実収納容積を確保することができる。
【００１９】
第３の発明は、特に、第１の発明の前記レール装置と前記レール保持部材とは、前記内箱を上下方向に区画する仕切壁の上面を介して固定されたことにより、レール保持部材の少なくも一部をレール装置の下方に配置することとなり、レール装置の内倒れを防止しつつ、レール装置を仕切壁に確実に固定できる。また、レール保持部材や、レール装置とレール保持部材の取付部を小型化できるために、貯蔵室に広い実収納容積を確保することができる。
【００２０】
第４の発明は、特に、第１〜３のいずれか１つの発明の前記レール装置は、前記レール保持部材に固定された固定レールと、前記固定レールに支持された移動レールとを備えることにより、容器に大きな荷重がかかった場合にでも滑らかに移動レールが移動するので操作力を低減することができ、使い勝手の向上を図ることができる。
【００２１】
第５の発明は、特に、第４の発明において、前記固定レールと前記移動レールとの間に中間レールを備え、前記中間レールと前記固定レールおよび前記移動レールとを回転支持部材で支持することにより、容器に大きな荷重がかかった場合にでも滑らかに移動レールが移動するので操作力を低減することができるとともに、中間レールを備えることによりレール装置の引き出し代を大きくとることができるので、容器の奥部まで引き出すことができ、容器の奥部まで見渡すことや、レール装置に容器を容易に着脱することが可能となり、使い勝手の向上を図ることができる。
【００２２】
以下、本発明の実施の形態について、図面を参照しながら説明する。なお、この実施の形態によって本発明が限定されるものではない。
【００２３】
（実施の形態１）
図１は、本発明の実施の形態１における冷蔵庫の正面図である。
【００２４】
図１に示すように、本実施の形態にかかる冷蔵庫１００は、観音開き式の扉を上部に備える冷蔵庫１００であり、冷蔵庫１００の内方と外方とを断熱状態で隔てる断熱箱体１０１内に複数に区画された貯蔵室を備えている。
【００２５】
冷蔵庫１００の内の複数に区画された貯蔵室は、その機能（冷却温度）によって冷蔵室１０２、製氷室１０５、庫内の温度が変更できる切換室１０６、野菜室１０３、および冷凍室１０４等と区別して称されることがある。
【００２６】
冷蔵庫１００の最上部に位置する冷蔵室１０２の前面開口部には、例えばウレタンのような発泡断熱材を発泡充填した回転式の断熱扉１０７が設けられ、棚状の収納空間となっている。
【００２７】
また、冷蔵室１０２の下方に配置される製氷室１０５、切換室１０６、野菜室１０３、および冷凍室１０４は引き出し式の収納空間となされている。
【００２８】
断熱箱体１０１は、金属製の外箱１１２と樹脂製の内箱１１０との間に例えば硬質発泡ウレタンなどの断熱材１１１を充填して形成される少なくとも一面が開口した直方体の箱体である。この断熱箱体１０１は、外方の雰囲気（大気）から断熱箱体１０１の内方に流入しようとする熱を遮断する機能を有している。
【００２９】
冷蔵室１０２は、冷蔵保存のために収容物が凍らない程度の低い温度に維持される貯蔵室である。具体的な温度の下限としては、通常１〜５℃で設定されている。
【００３０】
野菜室１０３は、断熱箱体１０１の最下部に配置され、主として野菜の冷蔵を目的とした貯蔵室である。また、野菜室１０３は、冷蔵室１０２と同等もしくは若干高い温度設定となされている。具体な温度の下限としては、２℃〜７℃である。なお、低温にするほど葉野菜の鮮度を長期間維持することが可能である。
【００３１】
冷凍室１０４は、冷凍温度帯に設定される貯蔵室である。具体的には、冷凍保存のために通常−２２〜−１８℃で設定されているが、冷凍保存状態の向上のために、たとえば−３０や−２５℃の低温で設定されることもある。
【００３２】
製氷室１０５は、内方に製氷機（図示せず）を設け製氷機で氷を作りその氷を保存する貯蔵室である。設定温度は冷凍室１０４とほぼ同等である。
【００３３】
切換室１０６は、冷蔵庫１００に取り付けたれた操作盤により、用途に応じ冷蔵温度帯から冷凍温度帯まで切り換えることができる。
【００３４】
図２は、本発明の実施の形態１における冷蔵庫の縦断面図であり、図１におけるＡ−Ａ線で切断した状態を示している。
【００３５】
図２に示すように、異なる温度帯の貯蔵室を区画するために、各貯蔵室の間に仕切壁１０８が設置されている。冷蔵庫１００に備えられる貯蔵室のうち引き出し式の貯蔵室には、前面開口を閉塞する引出扉２０１と、引出扉２０１と断熱箱体１０１とを伸縮自在に接続するとともに貯蔵室の内部に備えた容器２０６を前後に移動可能とするレール装置２０２とが設けられている。
【００３６】
引出扉２０１は、貯蔵室の開口を開閉自在に閉塞することができる断熱性を備えた板状の部材であり、奥側周縁にパッキン２０７を備えている。パッキン２０７は、引出扉２０１が貯蔵室の開口を閉塞した状態で断熱箱体１０１等と密着し、冷気が漏れるのを防いでいる。また、引出扉２０１の正面上部には、貯蔵室を手前に引き出すときに手を掛ける手掛部２０１ａを備えている。
【００３７】
引出扉２０１には、扉フレーム２０５が引出扉２０１に対して垂直突出状に取り付けられている。そして、扉フレーム２０５は、レール装置２０２に取り付けられている。さらに、扉フレーム２０５は容器２０６の底部両端を保持している。すなわち、容器２０６は、扉フレーム２０５を介して、レール装置２０２に取り付けられている。
【００３８】
図３は、本発明の実施の形態１における冷蔵庫のレール装置を示す斜視図である。
【００３９】
図３に示すように、レール装置２０２は、三段に重ねられた三つのレールを有し、第２レール（ミドルレール２２１）が第１レール（キャビネットレール２２２）に対して移動
可能であり、かつ、第３レール（トップレール２０３）が第２レール（ミドルレール２２１）に対して移動可能であることにより、全体として伸縮可能である。
【００４０】
キャビネットレール２２２は、内箱１１０や仕切壁１０８に固定された「固定レール」であり、トップレール２０３とミドルレール２２１とが、固定レールに対し移動可能に設けられた「移動レール」である。さらに、狭義では、ミドルレール２２１は、「中間レール」である。
【００４１】
キャビネットレール２２２には、平板状のレール取付部２２３が取り付けられ、あるいは、一体に形成されている。
【００４２】
トップレール２０３の上面には、扉フレーム２０５と固定するための鉤形状部２３１と固定穴２３２とが設けられている。鉤形状部２３１は、トップレール２０３の長手方向における中央より後方に設けられていることが望ましい。鉤形状部２３１は、トップレール２０３の上面の一部を略コの字状に切り欠き、その切欠きを切り起して形成されており、トップレール２０３の上面に対して略垂直に立ち上がる垂直部２３１ａと垂直部２３１ａの先端に設けられトップレール２０３の上面に対して略水平に、前方に曲げられた水平部２３１ｂとから形成されている。水平部２３１ｂの長さは、垂直部２３１ａの高さより長くなるように構成されている。
【００４３】
固定穴２３２は、トップレール２０３の前端から固定穴２３２の強度の確保上必要な長さを確保し、かつ／または、扉フレーム２０５に設けられた丸穴と対応するように設けられたネジ穴である。
【００４４】
次に、引出扉２０１と扉フレーム２０５について説明する。図４は、本発明の実施の形態１における引出扉と扉フレームとを接続した状態を示す斜視図である。
【００４５】
図４に示すように、扉フレーム２０５は、引出扉２０１の上下方向中央部より下方、かつ左右方向両端部に接続されている。扉フレーム２０５は、引出扉２０１の奥側面のほぼ全面を覆う内側板２１１側に固定されている。内側板２１１は、引出扉２０１を構成する部材の一つであり、真空成形により形成される板状の部材である。
【００４６】
内側板２１１は主に樹脂によって成型されているため、内側板２１１に直接ビスで固定しても、扉フレーム２０５にかかる荷重に耐え得る強度が確保できない。そこで、扉フレーム２０５を確実に固定する手段として、扉フレーム２０５を、内側板２１１を介して、引出扉２０１内の断熱材に埋設した補強板（図示せず）にビス等により固定されている。
【００４７】
補強板は、内側板２１１の上下方向に延在し、主に鉄などの金属材料によって形成される。補強板は、左右の扉フレーム２０５に対応して、独立して２枚、設けられている。
【００４８】
また、内側板２１１には容器固定手段３０１が設けられている。容器固定手段３０１は金属製の部材で、前述の補強板に、内側板２１１を介してビス等により固定されている。容器固定手段３０１の上方は内側板２１１との間に隙間を備えており、この隙間に容器２０６の一部、具体的には、容器２０６の開口部周囲のリブを差し込むことで、容器２０６を固定できる。
【００４９】
図５を用いて、扉フレーム２０５についてさらに詳しく説明する。図５は、本発明の実施の形態１における引出扉と扉フレームとを接続した状態を示す斜視図である。
【００５０】
扉フレーム２０５は、トップレール２０３の上面を覆う上面部２８２と、トップレール
２０３の庫外側の側面を覆う側面部２８３とを備えている。上面部２８２、側面部２８３の全長はトップレール２０３の全長より長いことが望ましい。これによれば、容器２０６内の収納物によってかかる荷重をトップレール２０３に均一に分散できるの。
【００５１】
上面部２８２の庫内側の端部は略直角に切り起され、側面部２８３と略並行となる本体部２８４が形成されている。本体部２８４の前端部には、本体部２８４より上方に突出した拡大部２８１を備えている。拡大部２８１の前端には、端縁が引出扉２０１の内側板２１１に沿うように折り曲げられた折曲部２４１を備えている。折曲部２４１は、折曲部２４１の上端が引出扉２０１の高さ方向の中央より下方に位置するように引出扉２０１に取り付けられる。また、トップレール２０３より上方の引出扉２０１の部分に取り付けられる。
【００５２】
拡大部２８１を折曲部２４１と扉フレーム２０５との間に設けることで、扉フレーム２０５と引出扉２０１との固定部の大きさを高さ方向に大きくすることとなり、引出扉２０１に対して下部に取り付けられているレール装置２０２と引出扉２０１との取付部の強度不足を補うことができる。すなわち、引出扉２０１、特に引出扉２０１の手掛部２０１ａを持って引き出したり押し戻したりしたときに発生する応力が、扉フレーム２０５の前端部に集中するのを緩和することができる。
【００５３】
本体部２８４の上端には、上面部２８２に対して略水平となるように折り曲げて形成されたフランジ部２８５を備えている。フランジ部２８５の前方、および／または、後方には、フランジの一部を切り欠いたフランジ切欠部２８５ａが設けられている。このフランジ切欠部２８５ａに容器２０６の一部を差し込むことで、容器２０６を固定できる。
【００５４】
上面部２８２には、トップレール２０３と固定するための矩形穴２８６と丸穴２８７とが設けられている。矩形穴２８６は、扉フレーム２０５の長手方向における中央より後方に設けられていることが望ましい。また、本体部２８４の長手方向における中央より後方に設けられていることがさらに望ましい。これによれば、手掛部２０１ａを持って引き出したり押し戻したりしたときに発生する力を、より扉フレーム２０５の後方に分散できる。矩形穴２８６は、トップレール２０３に設けられた鉤形状部２３１が嵌め込まれるのに十分な大きさを有している。
【００５５】
丸穴２８７は、上面部２８２の前端から丸穴２８７の強度の確保上必要な長さを確保し、かつ／または、トップレール２０３に設けられた固定穴２３２と対応するように設けられた穴である。
【００５６】
矩形穴２８６に対応する位置の本体部２８４には、本体切欠部２８８が形成されている。本体切欠部２８８は、本体部２８４の一部を略コの字状に切り欠き、その切欠きを切り起して、本体部２８４に対して略垂直に、庫外側に曲げて形成されている。このため、本体部２８４の本体切欠部２８８が形成された箇所には、本体穴部２８９が形成されることとなる。
【００５７】
ここで、扉フレーム２０５とトップレール２０３との固定方法について説明する。まず、トップレール２０３に設けられた鉤形状部２３１を扉フレーム２０５の矩形穴２８６に引っ掛ける。すなわち、鉤形状部２３１の垂直部２３１ａを矩形穴２８６から、扉フレーム２０５の上面部２８２上方に貫通させ、扉フレーム２０５をトップレール２０３に対し相対的に前方にずらすことで、鉤形状部２３１の水平部２３１ｂを矩形穴２８６の前端部上面に移動させる。次に、扉フレーム２０５の上面部２８２上方から、扉フレーム２０５の丸穴２８７を介して、トップレール２０３に設けられた固定穴２３２に、ネジをねじ込む。
【００５８】
これにより、扉フレーム２０５とトップレール２０３とは、鉤形状部２３１と矩形穴２８６とで固定される第一固定部と、矩形穴２８６と丸穴２８７とネジとで固定される第二固定部の２箇所により確実に固定される。少なくとも一方の固定部を、突起部と係止部とからなる引っ掛ける方式とすることで、扉フレーム２０５のトップレール２０３への取り付け、取り外しが容易になる。なお、第二固定部に上向きに作用する力に確実に抗する点からは、第二固定部を引っ掛ける方式とすることが望ましい。
【００５９】
また、矩形穴２８６および上面部２８２の上面に突出した鉤形状部２３１の水平部２３１ｂを覆うようことにより、簡単な構成で、矩形穴２８６や鉤形状部２３１で手や指が傷つくことを防止でき、安全性が向上する。さらに、第一固定部が見えにくくなるので外観意匠の向上が図れる。
【００６０】
なお、鉤形状部２３１、固定穴２３２が、トップレール２０３の側面に設けられており、矩形穴２８６、丸穴２８７が、側面部２８３や本体部２８４に設けられていてもよい。
【００６１】
冷蔵庫の内箱１１０とレール装置２０２の取付について、引き出し式の貯蔵室のうち冷凍室１０４を例に説明する。図６は、本発明の実施の形態１における冷蔵庫の冷凍室における内箱とレール装置の取付部を示す断面図である。
【００６２】
まず、レール装置２０２についてさらに詳しく説明する。
【００６３】
キャビネットレール２２２の長手方向に垂直な断面形状は、左右対称ではなく、一方には、底面から一旦上方に立ち上がった後、幅方向に突出するレール取付部２２３を備えている。そして、レール取付部２２３により、野菜室１０３と冷凍室１０４とを縦方向に区画する仕切壁１０８の上面に固定されている。
【００６４】
ミドルレール２２１は、断面がＩの字状であり、左右に突出したフランジを長手方向の上下に有する形状である。この上下のフランジのうちの下のフランジは、キャビネットレール２２２に長手方向に移動可能に保持されている。
【００６５】
トップレール２０３は、断面がコの字状の断面形状であり、ミドルレール２２１の上のフランジを長手方向に移動可能に保持している。
【００６６】
キャビネットレール２２２とトップレール２０３のそれぞれは、回転支持部材保持部１４６により複数の回転支持部材１４５を保持しており、この回転支持部材１４５によりミドルレール２２１を移動可能に保持している。なお、回転支持部材１４５としては、ベアリングを用いることができる。
【００６７】
より詳細に説明すると、ミドルレール２２１の上下のフランジのうち、下のフランジを中心とする部分をキャビネットレール２２２が複数の回転支持部材１４５を介して三方向から保持している。
【００６８】
また、ミドルレール２２１の上フランジを中心とする部分をトップレール２０３が複数の回転支持部材１４５を介して三方向から保持している。
【００６９】
キャビネットレール２２２、ミドルレール２２１およびトップレール２０３がこのように組み合わされていることにより、ミドルレール２２１は、キャビネットレール２２２上をその長手方向に移動可能である。さらに、トップレール２０３は、ミドルレール２２１上をその長手方向に移動可能である。つまり、トップレール２０３は、ミドルレール２２
１を介してキャビネットレール２２２上をその長手方向に移動可能である。
【００７０】
また、ミドルレール２２１およびトップレール２０３は、複数の回転支持部材１４５が回転することによりスムーズに移動することができる。
【００７１】
トップレール２０３、ミドルレール２２１、キャビネットレール２２２、回転支持部材１４５は、予め組み込んだ状態で、仕切壁１０８に取り付けられる。このため、それぞれのレール間のクリアランスを最小限に設定することができる。このため、ガタツキを抑え、滑らかに移動レールが移動し、使い勝手の向上を図ることができる。
【００７２】
また、ミドルレール２２１を備えることによりレール装置２０２の引き出し代を大きくとることができるので、容器２０６の奥部まで引き出すことができる。これにより、容器２０６の奥部まで見渡すことや、レール装置２０２に容器２０６を容易に着脱することが可能となり、使い勝手が向上する。
【００７３】
次に、レール装置２０２の仕切壁１０８への取付について説明する。
【００７４】
図６に示すように、キャビネットレール２２２に一体に形成されたレール取付部２２３を、仕切壁１０８の両側部に設けられた上面段差部１０８ａの上部に面で当接するように配設し、ビス４００によって固定する。ビス４００は、その中心軸が容器２０６の底面に対して垂直方向となるように設けられている。なお、ビス４００は、本発明における締結手段であり、ビスに限定されることなく、タッピングねじやリベットでもよい。
【００７５】
このとき、取り付け面となる仕切壁１０８は主に樹脂によって成型されているため、仕切壁１０８に直接ビスを固定しても、レール装置２０２にかかる荷重に耐え得る強度が確保できない。そこで、レール装置２０２を確実に固定する手段として、レール取付部２２３を、仕切壁１０８の外郭を介して、断熱材１１１内に埋設したレール保持部材２７０に取り付ける。
【００７６】
レール保持部材２７０は主に鉄などの金属材料によって形成される。また、レール保持部材２７０を、あらかじめ仕切壁１０８の外郭内面の所定位置に固定し、その後、発泡断熱材を仕切壁１０８に充填し、断熱材１１１内に埋没させることにより、レール保持部材２７０の保持力をより向上させることが可能となる。
【００７７】
レール保持部材２７０は、上面段差部１０８ａの上面の内側に沿った形状のレール保持部２７０ａと、仕切壁１０８の側面の内側に沿った形状の補強手段２７０ｂを一体に形成してある。レール保持部２７０ａは断熱材１１１側から仕切壁１０８の上面段差部１０８ａに密着するように形成された横フランジ部であり、補強手段２７０ｂはレール保持部２７０ａの下部に形成された縦フランジ部である。
【００７８】
補強手段２７０ｂは、レール保持部２７０ａの側部から仕切壁１０８の側面の内側に沿って折れ曲って形成されている。さらに、補強手段２７０ｂの下端部分は外側に折れ曲って形成された折れ曲り部を有している。このように、レール保持部材２７０に折れ曲がりを設けることで、レール保持部材２７０自体の強度が向上する。さらに、補強手段２７０ｂが仕切壁１０８の側面に当接すること、補強手段２７０ｂが断熱材１１１内に食らい込むことにより、レール保持部２７０ａにかかる荷重が分散し、上面段差部１０８ａの変形を防止することができる。
【００７９】
なお、図７に示すように、補強手段２７０ｂはレール保持部２７０ａの側部から冷蔵室内側に折れ曲って延長されて形成されてもよい。より具体的には、補強手段２７０ｂは、
レール保持部２７０ａの側部から上面段差部１０８ａの立上りの内側に沿って折れ曲った後、仕切壁１０８の基準面となる中央部の内側に沿って横フランジ部を形成し、さらに補強手段２７０ｂの先端部分は下向きに折れ曲がっている。
【００８０】
図６、図７のように、補強手段２７０ｂを仕切壁１０８の外郭の内側に沿って設けることで、仕切壁１０８内に発泡断熱材を充填する際にも、発泡断熱材の流れを阻害することがない。
【００８１】
冷凍室１０４の底面壁となる仕切壁１０８は、両側部に上面段差部１０８ａが形成され、上面段差部１０８ａは仕切壁１０８の基準面となる中央部よりも一段高く奥行き方向に向かって形成されている。さらに、レール装置２０２の側方に位置する内箱１１０の側壁面部には、側面段差部１１０ａが形成されている。側面段差部１１０ａは冷凍室１０４内の上部側壁面部よりも外箱１１２側へ凹んで形成され壁厚が薄くなっている。
【００８２】
このような構成により、収納空間内に飛び出すレール装置２０２を抑制することができ、冷凍室１０４内に容器２０６の全幅寸法を大きくでき、貯蔵室内の無効空間を低減することができる。
【００８３】
また、上面段差部１０８ａに載置してレール装置２０２を組立てるので作業性を向上できる。さらに、上面段差部１０８ａの部分は仕切壁１０８の壁厚が大きくなるので、冷凍室１０４内にある金属製のレール装置２０２が冷やされて、下部にある野菜室１０３の天面となる仕切壁１０８が結露するのを防止することができる。
【００８４】
さらにレール装置は上面段差部１０８ａ上に設けられているので、結露水が仕切壁１０８の基準面となる中央部に溜まった場合にも、レール装置２０２が結露水に触れることがない。このため、結露水が凍結してレール装置２０２が固着してしまうことがない。これにより、引出扉２０１の開閉をスムーズに行なうことができる。
【００８５】
次に、冷蔵庫の内箱１１０とレール装置２０２の取付について、引き出し式の貯蔵室のうち野菜室１０３を例に説明する。図８は、本発明の実施の形態１における冷蔵庫の野菜室における内箱とレール装置の取付部を示す断面図である。
【００８６】
図８に示すように、最下部に形成された野菜室１０３のレール保持部材２８０は断熱材１１１内に配置され、キャビネットレール２２２に一体に形成されたレール取付部２２３を、内箱１１０の底部の両側に設けられた底面段差部４０１ａの上部に面で当接するように配設し、レール保持部材２８０に、ビス４００によって固定されている。ビス４００は、その中心軸が容器２０６の底面に対して垂直方向となるように設けられている。
【００８７】
レール保持部材２８０は、略Ｌ字状であり、横フランジ部であるレール保持部２８０ａと縦フランジ部である補強手段２８０ｂとを備えている。レール保持部２８０ａは、内箱１１０の底面部に密着し、補強手段２８０ｂは内箱１１０の底面部に密着している。補強手段２８０ｂの先端部分は内箱１１０から離れる方向で、側方に向かう折れ曲がりが形成されている。
【００８８】
このように、レール保持部材２８０を略Ｌ字状とすることで、レール保持部材２８０自体の強度が向上する。さらに、補強手段２８０ｂが内箱１１０の側面に当接すること、補強手段２８０ｂの先端部分が断熱材１１１内に食らい込むことにより、レール保持部２８０ａにかかる荷重が分散し、底面段差部４０１ａの変形を防止することができる。また、補強手段２８０ｂを内箱１１０の側面に沿って設けることで、外箱１１２と内箱１１０との間に発泡断熱材を充填する際にも、発泡断熱材の流れを阻害することがない。
【００８９】
なお、図９〜図１１に示すように、補強手段２８０ｂの構成が異なっていてもよい。より具体的には、図９では、補強手段２８０ｂは、断熱材１１１側から底面段差部４０１ａに密着するように形成された横フランジ部であるレール保持部２７０ａの側部から下側に沿って折れ曲り、さらに補強手段２７０ｂの先端部分は内箱１１０から離れる方向に折れ曲がっている。
【００９０】
このように、レール保持部材２８０を略Ｌ字状とすることで、レール保持部材２８０自体の強度が向上する。さらに、補強手段２８０ｂが断熱材１１１内に食らい込むことにより、レール保持部２８０ａにかかる荷重が分散し、底面段差部４０１ａの変形を防止することができる。
【００９１】
図１０では、補強手段２８０ｂは、断熱材１１１側から底面段差部４０１ａに密着するように形成された横フランジ部であるレール保持部２７０ａの側部から一旦、上側に沿って折れ曲り、底面段差部４０１ａの端部でリブを形成した後、さらに内箱１１０から離れる方向に折れ曲がっている。
【００９２】
このように、レール保持部材２８０にリブを設けることで、レール保持部材２８０自体の強度が向上する。さらに、補強手段２８０ｂが断熱材１１１内に食らい込むことにより、レール保持部２８０ａにかかる荷重が分散し、底面段差部４０１ａの変形を防止することができる。
【００９３】
図１１では、補強手段２８０ｂは、断熱材１１１側から底面段差部４０１ａに密着するように形成された横フランジ部であるレール保持部２７０ａの側部から底面段差部４０１ａの立上りの内側に沿って折れ曲った後、内箱１１０の底面の内側に沿って横フランジ部を形成し、さらに補強手段２７０ｂの先端部分は下向きに折れ曲がっている。
【００９４】
このように、レール保持部材２８０を略Ｌ字状とすることで、レール保持部材２８０自体の強度が向上する。さらに、補強手段２８０ｂが内箱１１０の立上りに当接すること、補強手段２８０ｂの先端部分が断熱材１１１内に食らい込むことにより、レール保持部２８０ａにかかる荷重が分散し、底面段差部４０１ａの変形を防止することができる。また、補強手段２８０ｂを内箱１１０に沿って設けることで、外箱１１２と内箱１１０との間に発泡断熱材を充填する際にも、発泡断熱材の流れを阻害することがない。
【００９５】
野菜室１０３の底面壁４０１は、両側部に底面段差部４０１ａが形成され、底面段差部４０１ａは底面壁４０１の基準面となる中央部よりも一段高く、奥行き方向に向かって形成されている。
【００９６】
そして、底面段差部４０１ａ上にレール装置２０２が配設されている。またレール装置２０２が固定される内箱１１０の側壁面部には側面段差部１１０ａが形成されている。側面段差部１１０ａは野菜室１０３内の上部側壁面部よりも外箱１１２側へ凹んで形成され壁厚が薄くなっている。
【００９７】
このような構成により、収納空間内に飛び出すレール装置２０２を抑制することができ、野菜室１０３内に容器２０６の全幅寸法を大きくでき、無効空間を低減することができる。  また、底面段差部４０１ａに載置してレール装置２０２を組立てるので作業性を向上できる。さらに、底面段差部４０１ａの部分は底面壁４０１の壁厚が大きくなるので、断熱性を確保できる。
【００９８】
さらにレール装置２０２は底面段差部４０１ａ上に設けられているので、結露水が仕切
壁１０８の基準面となる中央部に溜まった場合にも、レール装置２０２が結露水に触れることがない。このため、結露水が凍結してレール装置２０２が固着してしまうことがない。これにより、引出扉２０１の開閉をスムーズに行なうことができる。
【００９９】
冷凍室１０４、野菜室１０３ともに側面段差部１１０ａによって側面の壁厚が薄くなっているので、真空断熱材（図示しない）をレール装置２０２が配設される部分に対応させて、具体的には冷凍室１０４と野菜室１０３のレール装置２０２間よりも高さ寸法が大きい真空断熱材を外箱１１２に貼り付けることで断熱性を確保することもできる。
【０１００】
最後に、容器２０６とレール装置２０２との配置関係についてより詳細に説明する。
【０１０１】
図１２は、本発明の実施の形態１における冷蔵庫のレール装置の間に容器を配置した状態を奥側から示す断面図である。
【０１０２】
図１２に示すように、容器２０６は、野菜やペットボトルに充填された飲料、冷凍食品などを収容するための容器であり、上面が開口した樹脂製の箱体である。容器２０６は、下部の両端部に内方に向く段部２６２が形成されるように幅が狭い狭幅部２６１を備えている。そして容器２０６は、狭幅部２６１が２本のトップレール２０３の間に配置され、段部２６２が扉フレーム２０５の上面に載置されることで、扉フレーム２０５、トップレール２０３に支持される。
【０１０３】
このように、トップレール２０３が引出扉２０１の下部の両角に設けられているため、容器２０６の内、幅を狭くしなければならない狭幅部２６１をできる限り短く抑えることが可能となる。従って、容器２０６は、収納容積ができる限り広くなるような形状を採用することが可能となる。
【０１０４】
図１３は、本発明の実施の形態１における冷蔵庫のレール装置と容器の配置を示した要部拡大図である。
【０１０５】
本実施の形態では、図１３の（Ａ）に示すように、容器２０６は、下部の両端部に内方に向く段部２６２が形成されるように幅が狭い狭幅部２６１を備えるものとしたが、図１３の（Ｂ）や図１３の（Ｃ）に示すように、容器２０６の側面はほぼストレート形状とし、容器２０６は段部２６２を設けないで、レール装置２０２は、容器２０６の底部の左右両端の側方で支持したり（図１３の（Ｂ）参照）、あるいは、容器２０６の底部の左右両端の下方で支持したり（図１３の（Ｃ）参照）してもよい。
【０１０６】
なお、図１３では、レール装置２０２と容器２０６の位置関係を示すものであって、扉フレーム２０５は、省略して図示していない。
【０１０７】
以上のように本実施の形態では、キャビネットレール２２２のレール取付部２２３とレール保持部材２７０とが、仕切壁１０８の上面段差部１０８ａの上部を介して、容器２０６の底面に対して垂直方向に軸を有するビス４００により固定されたものである。あるいは、レール取付部２２３とレール保持部材２８０とが、内箱１１０の底部の底面段差部４０１ａの上部を介して、容器２０６の底面に対して垂直方向に軸を有するビス４００により固定されたものである。
【０１０８】
これによれば、レール保持部材２７０、２８０のレール保持部２７０ａ、２８０ａがレール装置２０２の下方に配置されることとなり、また、ビス４００が、レール装置２０２にかかる荷重を軸方向に受けることとなるので、レール装置２０２の内倒れを防止することができる。さらに、ビス４００にせん断力がかかることがないので、ビス４００に緩み
が生じたり、レール取付部２２３とレール保持部材２７０、２８０との間に隙間が生じたりすることがない。このため、容器２０６に大きな荷重がかかる場合でもレール装置２０２を仕切壁１０８や内箱１１０に確実に固定できる。
【０１０９】
また、レール保持部材２７０、２８０がレール装置２０２の下方に配置されることとなるので、レール保持部材２７０、２８０が小型化できる。さらに、ビス４００の軸は、容器２０６の底面に対して垂直方向となるため、容器２０６の底面の幅を大きくとることができる。これにより、貯蔵室に広い容器２０６を収納することができる。
【０１１０】
これは、トップレール２０３が引出扉２０１の下部に取り付けられている本実施の形態のような場合には、特に有効である。仮に、レール装置２０２を引出扉２０１の上下方向中央部付近に取り付けた場合において、本実施の形態の位置と同様に、レール装置２０２の下方にレール保持部材２７０、２８０を配置した場合、レール装置２０２のレール取付部２２３を縦方向に大型化する必要が生じる。この結果、容器２０６の幅を大きくとることができなくなり、貯蔵室の実収納空間が減少する。
【０１１１】
しかし、本実施の形態のように、引出扉２０１とトップレール２０３との取付部が引出扉２０１の下部にあると、レール装置２０２とレール保持部材２７０、２８０との取付部を小さくでき、容器２０６の幅を大きくとることができる。また、内倒れ方向にかかる力の支点となる位置を下方とでき、取付部にかかるモーメントが小さくなるので、より内倒れを防止できる。
【０１１２】
さらに、本実施の形態では、扉フレーム２０５の第一固定部は、扉フレーム２０５の長手方向における中央より後方に設けられているので、扉フレーム２０５でトップレール２０３のほぼ全長を覆うこととなり、容器２０６にかかる荷重をトップレール２０３全体に分散でき、レール装置２０２や仕切壁１０８の上面段差部１０８ａや内箱１１０の底部の底面段差部４０１ａの変形を抑制することができる。
【産業上の利用可能性】
【０１１３】
以上のように、本願発明にかかる冷蔵庫は、広い実収納空間を確保することができるので、引き出し式の貯蔵室を備える冷蔵庫に利用可能であり、さらに、引き出しを備えたユニットキッチンなど高品位・意匠デザイン性が求められる分野にも展開が可能である。
【符号の説明】
【０１１４】
１、１０１  断熱箱体
６  支持部材
８  ローラ
９  レール
１１、１１１  断熱材
１２、１１２  外箱
１３、１１０  内箱
１５  補強部材
２２  ネジ
１００  冷蔵庫
１０２  冷蔵室
１０３  野菜室（貯蔵室）
１０４  冷凍室（貯蔵室）
１０５  製氷室
１０６  切換室
１０７  断熱扉
１０８  仕切壁
１０８ａ  上面段差部
１１０ａ  側面段差部
１４５  回転支持部材
１４６  回転支持部材保持部
２０１  引出扉
２０１ａ  手掛部
２０２  レール装置
２０３  トップレール（移動レール）
２０５  扉フレーム
２０６  容器
２０７  パッキン
２１１  内側板
２２１  ミドルレール（移動レール）
２２２  キャビネットレール（固定レール）
２２３  レール取付部
２３１  鉤形状部
２３１ａ  垂直部
２３１ｂ  水平部
２３２  固定穴
２４１  折曲部
２６１  狭幅部
２６２  段部
２７０、２８０  レール保持部材
２７０ａ、２８０ａ  レール保持部
２７０ｂ、２８０ｂ  補強手段
２８１  拡大部
２８２  上面部
２８３  側面部
２８４  本体部
２８５  フランジ部
２８５ａ  フランジ切欠部
２８６  矩形穴
２８７  丸穴
２８８  本体切欠部
２８９  本体穴部
３０１  容器固定手段
４００  ビス
４０１  底面壁
４０１ａ  底面段差部
【図４】
2013204827.tif 000003
【図５】
2013204827.tif 000004
【図１２】
2013204827.tif 000005
【図１４】
2013204827.tif 000006
【図１】
2013204827.tif 000007
【図２】
2013204827.tif 000008
【図３】
2013204827.tif 000009
【図６】
2013204827.tif 000010
【図７】
2013204827.tif 000011
【図８】
2013204827.tif 000012
【図９】
2013204827.tif 000013
【図１０】
2013204827.tif 000014
【図１１】
2013204827.tif 000015
【図１３】
2013204827.tif 000016